Podtech/llm-jp-corpus-v4-ja_patent huggingface dataset:
(57)【要約】【課題】携帯用にコンパクトでシンプル性にし糞の排泄時、地面に落下する前に速やかに差し伸べ収納出来る処理具を提供する。【解決の手段】本考案の支柱なる輪１に耳状の握手２を設けて収納袋の装着を容易にした処理具である。【選択図】図１
0003126369.tif 000002
【実用新案登録請求の範囲】
【請求項１】
支柱なる輪１に耳状の握手２を設けて収納袋装着の過程に於いて握手も収納袋で覆い包み脱落防止に図２の輪ゴム３で固定する事を有して成る処理具。
【考案の詳細な説明】
【技術分野】
【０００１】本考案はペット排泄物に関して排泄物を地面に落下しない前に受取り可能にした処理具に関するものである。
【背景の技術】
【０００２】愛犬家にとって犬の散歩時の糞の排泄物の処理には苦労の種になり紙やビニール、スコップ等を携帯して道路面とか草むら等に落下した後、掬い取る状態をよく見掛けます。特に柔らかい糞の草むら等では収納困難で衛生面も良好とはいえない回収困難がある。
【０００３】また糞を紙等で接手する感触の不浄の思い有り、道路等に放置するマナーの気力に欠ける面が見られる。
【０００４】従来の器具を見るに愛犬家の器具の使用がなされていない面があるようで散歩時の体裁もありコンパクトで携帯用の極めて容易な器具の使用を求めているような背景が見られる。
【実用新案文献１】
実開平７−１３１３７
【実用新案文献２】
実開平４−７１４５１
【考案の開示】
【考案が解決しようとする課題】
【０００５】本考案は処理具のシンプル性を可能に考え散歩時に持ち歩くにもコンパクトで糞の受取りも地面で落下する前に手を汚さず手際よくかつ衛生的に収納出来、収納袋の装着が握手２の構造にして成り、容易な処理具の提供が出来る。
【課題を解決するための手段】
【０００６】本考案を達成するため図１に示すよう支柱なる輪１を設けその輪に耳状の握手２の構造にした事で、図２に示すよう収納袋４を支柱なる輪１に沿って折り返し状態にして握手２も覆い包みして、握手より収納袋の脱落防止する輪ゴム３で固定して装着が出来る排泄物の処理具にした。
【考案の効果】
【０００７】本考案は収納袋の装着時に処理具の裏表の区別なく収納袋のすみやかな装着用意が出来る。【０００８】コンパクトとシンプル性で手軽く、犬の散歩時に携帯用として持ち歩きに便利である。【０００９】従来のように糞の処理に紙等により接手する感触の不浄の思いも解消して手を汚さず極めて快適な使用が出来る。【００１０】糞の排泄時に処理具をすみやかに差し出し受取り可能で、社会的にも環境と衛生を完全に守るマナーの成長を促す目的の向上にもなる。【００１１】収納袋はスーパー・コンビニ等のビニール袋で十分代用出来、図２に示すよう収納袋の装着と取り外しが簡単である。
【考案を実施するための最良の形態】
【００１２】図２に示すよう支柱なる輪１に耳状の握手２を設けた事で収納袋の装着時に握手も覆い包み脱落しないよう輪ゴム３で握手に固定を有して成り操作使用が出来る形態である。
【実施例】
【００１３】図２が排泄物の処理具の優れた使用が出来る実施形態である。
【図面の簡単な説明】
【００１４】
【図１】本考案に係る排泄物の処理具の正面図である。
【図２】本考案に係る排泄物の処理具の実施例の斜視図である。
【符号の説明】
【００１５】１．支柱なる輪
２．握手
３．輪ゴムの固定
４．収納袋
【図１】
0003126369.tif 000003
【図２】
0003126369.tif 000004
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
収納袋を装着する環状輪に握手を設けたことを特徴としたペット排泄物の処理具。
【請求項２】
収納袋を装着する環状輪に握手を設け前記握手に収納袋を固定する輪ゴムを備えたことを特徴とするペット排泄物の処理具。
(57)【要約】      （修正有）【課題】弓の半形からなるつり具のユミツノ本体に、フィンを設けることによって、フィン付ユミツノになり、フィン付ユミツノ本体を水中にて引っ張るとよく回転するようにする。【解決手段】ユミツノ本体に、フィン５を設けることによって、フィン付ユミツノ６になり、水中にて船の進行方向に引っ張られると、フィン５の面積でより大きい水抵抗が生じ、よく回転することが可能にした。この激しい回転で、水中にいる魚の注意を引くことができ、魚を誘い出したり、よく釣れるようになる。【選択図】図２
0003126370.tif 000002
【実用新案登録請求の範囲】
【請求項１】
弓の半形からなるつり具に、通称ユミツノと称し、このユミツノ１を引っ張るとより良く回転するために、当該ユミツノ１の腹部の後方にフィン５を取りつけたものであって、また当該フィン５の形は多様な形からなることが可能を特徴とするフィン付ユミツノ。
【考案の詳細な説明】
【考案の詳細な説明】
【考案が解決しようとする課題】
【０００１】  従来の疑似餌ユミツノ１は（図１）、図２にて示すようなフィン付ユミツノ６のフィン５が無く、水中にて引っ張られる時にユミツノ１の遊泳が不自然、かつ水の抵抗を受ける面積が小さいために回転が不足、結局魚を誘い出したり、ヒットさせたりする確率が低く、疑似餌とする効果は良くない。
【考案が解決するための手段】
【０００２】  そこで、疑似餌のユミツノ本体６のように（図２）、フィン５を設けることによって、水中にて当該フィン付ユミツノ６を引っ張るとよく回転することを可能にした。
【実施例】
【０００３】図２に示すように、フィン付ユミツノ本体６の一端につり針２があり、反対のもう一端に貫通穴３があり、当該穴３につり糸４を通して結び、水中にて当該つり糸４を引っ張ると、当該ユミツノ６を良く回転させるためにフィン５を設けた。
【考案の効果】
【０００４】疑似餌のフィン付ユミツノ本体６に、フィン５を設けることによって、水中にて引っ張られるとよく回転し、水中にて当該フィン付ユミツノ６がまるで元気な魚のように回転しながら激しい遊泳を実現し、水中の魚の注意を引き、そこの魚を誘い出す確率が高くなり、よく釣れる結果になった。
【図面の簡単な説明】
【図１】従来ユミツノ本体１を示す立体図である。
【図２】今回考案したフィン付ユミツノ本体６の立体図である。
【図３】今回考案したフィン付ユミツノ本体６の平面図である。
【図４】フィン付ユミツノ本体６が水中にて引っ張られる時の回転する様子を示す平面図である。
【図５】多様のフィンの形を示す平面図である。
【符号の説明】
１  従来の疑似餌のユミツノ
２  つり針
３  つり糸を通して結ぶための貫通穴
４  つり糸
５  フィン
６  フィン付ユミツノ
７  船
【図１】
0003126370.tif 000003
【図２】
0003126370.tif 000004
【図３】
0003126370.tif 000005
【図４】
0003126370.tif 000006
【図５】
0003126370.tif 000007
(57)【要約】      （修正有）【課題】ナプキンやエプロンホルダーとして使用する場合、首にかけているナプキンやエプロンを挟んでいるクリップの裏面にストッパーを取り付けて、そのストッパーの中をチェーンや紐等を通し操作することで、それらを簡単に好みの位置に移動させる事が出来る調節自在クリップ付きホルダー。【解決手段】片方のクリップの裏面に取り付けてあるストッパーの容器の内面とその対面に面テープのフックテープとルーフテープが各々貼り付けてあり、その間にチェーンや紐を通して適度に加圧すると、フックテープとルーフテープが絡み合い、この中に通してあるチェーンや紐を自在にスライドさせたりストップさせたりすることが出来る。尚、ストッパーを通したチェーンや紐の端には抜けないように脱落防止留め具を付けて置く。【選択図】図３
0003126474.tif 000002
【実用新案登録請求の範囲】
【請求項１】
内面の対面にフックテープとループテープが合わさるように面テープを両面にそれぞれ貼り付けたストッパー容器の中をチェーン又は紐等を通しクリップに取り付けた調節自在クリップ付きホルダー。
【考案の詳細な説明】
【技術分野】
【０００１】
本考案は紐又はチェーンとクリップ及び面テープからなり、ナプキン等利用の便利性を高めるための器具に関するものである。
【背景技術】
【０００２】
従来のナプキンホルダーは胸元や膝上等ナプキンの位置を変えたくても変えるのが不便であった。それはナプキンをチェーンや紐の両端と固定して連結してあり、紐やチェーンの長さを調整する時はチェーンや紐の中程、丁度首の真後ろに仕掛けてあるストッパーに手を伸ばして操作するか、いちいち首からチェーンや紐をはずして調整しなければならない不便さがあった。特許文面で知る。特開2001−78816号公報
【考案の開示】
【考案が解決しようとする課題】
【０００３】
本考案は、ナプキンホルダーとして使う場合は食事時、胸元や膝上等汚れから衣服を保護しょうとする時いちいち首からナプキンをはずして位置調整をしなくても、ナプキンを挟んでいるクリップをそのまま、好みの位置ヘスライドさせたり、ストップさせたり、すばやく移動することが可能になり前述の欠点を解決しようとするものである。
【課題を解決するための手段】
【０００４】
本考案は、樹脂性、金属性、木性等で出来た凹型のストッパー容器内に取り付けた面テープ（マジックテープ商標）のフックテープとループテープの中をチェーン又は紐等を通し、フックテープとループテープに適度に圧力を加えることにより、両テープが絡み合いチェーンや紐等を自在に移動さすことが出来て問題点を解決している。  
【０００５】
クリップとは金属性や樹脂性で、両板の間にはバネ機構をそなえて物を挟めるようにした器具で一般的に事務用品や生活用品雑貨として使用されている器具を指す。  
【０００６】
チェーンとは金属性や樹脂性の鎖を指し、紐とは繊維からなる織り紐や組み紐等を指す。又、面テープとはフックテープとル−プテープからなる一般的にマジックテープとよばれているテープを指す。  
【考案の効果】
【０００７】
上述のように、本考案の調節自在クリップ付きホルダーは、ナプキン等に使う場合はナプキンを挟んでいるクリップを好みの位置に軽くスライドさせたり、軽くチェーンや紐等を引くだけでナプキンが移動でき、食事時の衣服の汚れを防止できて、気使いなく、楽しく食事ができる。又、本考案品は、小さなクリップ２個とチェーン又は、紐１本と言う組合せで出来ているので大変コンパクトに出来ており、外出の際にハンドバック等に入れて持ち歩いても飲食時に、何時でも、何処ででもハンカチ一枚あれば便利に使える。尚、その上クリップやチェーン、紐、ハンカチ等を自分好みのファッショナブルなものにすれば、より一層楽しく食事をすることができる。その他帽子、エプロン、スカーフ、メガネ等に使う場合にも調節が自在で便利であると共にクリップのデザインによってはネックレス等アクセサリーとして楽しむ事が出来る。
【考案を実施するための最良の形態】
【０００８】
凹型ストッパー容器の内面に面テープのフックテープとループテープからなる一方を貼り、もう一方の面テープはその対面のクリップ自身に貼り付け、両テープの間にチェーン又は紐等を通して凹型の容器をクリップと一体にさせるよう取り付けることにより、面テープを構成するフックテープとループテープがチェーンや紐等を間にして絡み合いチェーンや紐等のスライドやストップの動作が自在に出来るようになる。                
【実施例】
【０００９】
本考案の調節自在クリップ付きホルダーの実施例について、図に基づき説明する。
図１〜図４まではナプキンホルダーとして使用した時の図である。ストッパー付きクリップによってナプキンを好みの位置に自在に移動でき衣服の汚れを気にすることなく食事を楽しめる。
【００１０】
図５はアクセサリークリップペンダントとして使用した時の図である。ペンダント裏面のストッパーによってペンダントを自在に好みの位置に移動でき、フアッションを楽しむことができる。
【図面の簡単な説明】
【００１１】
【図１】本考案のナプキンホルダーの実施例を示す正面図である。
【図２】本考案のナプキンホルダーの実施例を示す裏面図である。
【図３】本考案のストッパー容器の断面図である。
【図４】本考案のストッパー容器の裏面透視図である。
【図５】本考案のストッパー付きアクセサリークリップペンダントの正面図である。
【符号の説明】
【００１２】
１  チェーン又は紐
２  引輪
３  脱落防止留具
４  ストッパー容器付きクリップ
５  クリップ
６  ストッパー容器
７  面テープ
８  面テープ
９  ナプキン
１０アクセサリーチェーン又は紐
１１ストッパー付きアクセサリークリップペンダント
【図１】
0003126474.tif 000003
【図２】
0003126474.tif 000004
【図３】
0003126474.tif 000005
【図４】
0003126474.tif 000006
【図５】
0003126474.tif 000007
(57)【要約】【課題】布団叩き器具の使用による騒音の低減を図り、使い勝手のよいものする。【解決手段】柄の先端部に、発泡樹脂系の小円形部と大円形部を交互に形成した布団叩き器具である。これにより、発泡樹脂系の小円形部と大円形部、あるいは発泡樹脂系の大円形部と小円形部を交互に形成したことで、平らな布団に接触する部位を円形、谷間、円形にでき、時間的にずれた状態で接触するために、発生する音を小さく、かつ低音に出来る。また、接触面が円形であるために、布団への接触もずれた接触となり、発生する音を小さく出来るものである。【選択図】  図１
0003126489.tif 000002
【実用新案登録請求の範囲】
【請求項１】
柄の先端部に、発泡樹脂系の小円形部と大円形部を交互に形成した布団叩き器具。
【考案の詳細な説明】
【技術分野】
【０００１】
布団、座布団、カーペットなどの埃、塵を叩き清掃する布団叩き器具に関する。
【背景技術】
【０００２】
布団叩き器具の使用による騒音の低減に関しては各種の提案がなされているが、市場で受け入れられた技術はない。
【特許文献１】実開平６−２４６６６号公報
【特許文献２】実用新案登録第３０７６２０８号公報
【考案の開示】
【考案が解決しようとする課題】
【０００３】
布団叩き器具に複数の突起又は、半球形を部分的設け、スポンジを用いる考えはあるが、騒音対策、使い勝手からは十分とはいえなかった。
【課題を解決するための手段】
【０００４】
柄の先端部に、発泡樹脂系の小円形部と大円形部を交互に形成した布団叩き器具である。
【考案の効果】
【０００５】
発泡樹脂系の小円形部と大円形部、あるいは発泡樹脂系の大円形部と小円形部を交互に形成したことで、平らな布団に接触する部位を円形、谷間、円形にでき、時間的にずれた状態で接触するために、発生する音を小さく、かつ低音に出来る。
また、接触面が円形であるために、布団への接触もずれた接触となり、発生する音を小さく出来るものである。
更に、円形にしたので、叩き器具として、表裏がなく、使い勝手のよいものとなる。
即ち、本考案の布団叩き器具は３６０度使えるので、布団の左、右、上、下の各場所を握り直さず清掃できるものである。
【考案を実施するための最良の形態】
【０００６】
図１に示すように、柄１の先端部から小円形２、大円形３、小円形２、大円形３、と繰り返し、８枚の小円形２、４枚の大円形３とし、小円形２で大円形３を密着支持し、大円形３が倒れないようにするのがよい。
【実施例】
【０００７】
図１の小円形２の寸法は径４０ｍｍ、幅２０ｍｍ、大円形３の寸法は径８０ｍｍ、幅２０ｍｍであり、通常この程度の寸法が適切である。なお、小円形２と大円形３を交互にし、５枚の小円形２、４枚の大円形３としてもよい。取付強度を高めて、大円形３、小円形２の順番にしてもよい。
【０００８】
発泡樹脂の材質は、発泡ポリスチレン（発泡スチロール）からなるスポンジが、発泡の空泡率（空間率）が１０％以下の方が軽くて丈夫で、強く引っ張っても割れず、水分も含まなくて良好である。発泡の空泡率（空間率）が２０％以上の場合は、強度はやや低下し、水分を含むが、軽くて、騒音は一層低下するので、騒音低下の面ではより好ましい。
【０００９】
発泡樹脂の空泡率（空間率）によって径寸法を変えた方が好ましい。図１の小円形２の通常の範囲は、空泡率（空間率）が１０％以下の場合には、径８５〜４０ｍｍ、大円形３の寸法は径１００〜６０ｍｍ、径差は１５ｍｍ以上が好ましい。
【００１０】
図１の小円形２の通常の範囲は、空泡率（空間率）が２０％以上の場合には、径１００〜４０ｍｍ、大円形３の寸法は径１２０〜７０ｍｍ、径差は２０ｍｍ以上が好ましい。
【００１１】
柄１の形状、材質によって円形の内径部４の形状を調整する。図２のように柄１を円形にする場合は当然円形の内径部４の形状も円形にし、柄１の材質は竹、籐、木材、プラスチック等樹脂系のものする。径寸法は通常２０ｍｍ程度である。図３のように柄１を多角形にした場合も同様であるが、柄の材質は木材、プラスチック等樹脂系のものする。図４のように柄１を十字形にした場合も同様であるが、柄の材質は木材、プラスチック等樹脂系のものする。図５のように柄１を三日月形にした場合も同様であるが、柄の材質は竹とする。
【図面の簡単な説明】
【００１２】
【図１】本考案の一実施例を示す正面図である。
【図２】本考案の円形の内径部の形状を示す図である。
【図３】本考案の円形の内径部の形状を示す図である。
【図４】本考案の円形の内径部の形状を示す図である。
【図５】本考案の円形の内径部の形状を示す図である。
【符号の説明】
【００１３】
１  柄
２  小円形
３  大円形
４  円形の内径部
【図１】
0003126489.tif 000003
【図２】
0003126489.tif 000004
【図３】
0003126489.tif 000005
【図４】
0003126489.tif 000006
【図５】
0003126489.tif 000007
(57)【要約】【課題】解決しようとする課題は、ペニスの亀頭部の露出度を増大させることにより、性行為の際における快感を増進するとともに、たるんだ包皮をペニスに固定し仮性包茎を矯正するため、手近な材料を使用し、ペニス用リングよりさらに軽量で違和感のない用具を提供することである。【解決手段】この改善策として、柔らかく薄い非伸縮性のビニール等の素材を用い、皮膚に直接貼り付ける接着面２に接着防止用テープ３を貼った細長いテープ１に加工し、接着防止用テープを剥がしながら、ペニスの亀頭部下のくびれ付近に巻き付け使用するペニス用バンドを考案したものである。【選択図】図３
0003126482.tif 000002
【実用新案登録請求の範囲】
【請求項１】
柔らかいビニール等の非伸縮性の薄い素材を使用し、片面の皮膚との接着面へ接着防止用テープを貼り付け加工した幅３ミリ前後、長さ約２０センチの接着テープを、ペニスの亀頭部下のくびれ付近に接着防止用テープをはがしながら巻き付けることにより、亀頭部を大きく露出させるとともに、たるんだ包皮を保持する効果を持たせたペニス用バンド
【考案の詳細な説明】
【技術分野】
【０００１】
本考案は、亀頭部を大きく露出させ又は仮性包茎を矯正するため、ペニスのたるんだ包皮を引っ張り、ペニスの亀頭部下のくびれ付近にバンドを装着することにより、ペニスの勃起時におけるバンドの締め付け作用から、亀頭部を形よく大きく露出させて亀頭冠部を張り出させるとともに、たるんだ包皮を保持する効果を持たせたペニス用バンドに関するもの。
【背景技術】
【０００２】
従来のペニスに係る包茎矯正器具、勃起時の補助器具等は、器具自体が大きいか又は器具の装着が不自然なものが多く、使用した時にどうしても違和感がつきまとっていた。
しかし、これらの問題点は、本件考案者が発明し同時出願中であるペニス用リングにより解決した感があるが、さらに安価で軽量化を図るとともに違和感が全くなく手頃に使用できる用具として、皮膚に接着性を持たせたペニス用バンドを考案したものである。  
【０００３】
従来からの問題点を解消するとともにペニス用リングの改良を図るため、柔らかいビニール等の薄い非伸縮性素材をテープ状にして、片面に絆創膏様の接着性を持たせた上に接着防止用テープを貼り、幅３ミリ前後、長さ約２０センチに加工したバンドを作製する。使用者が好みの長さに切断し、通常時におけるペニスの亀頭部下のくびれ付近に、やや締め付ける様に巻き付け装着する。
本バンドは非伸縮性のため、ペニスの勃起時には、バンドの締め付け作用によって充血した亀頭部が一段と増大し膨張して露出した状態になる。このため、性行為の際は、亀頭冠部の刺激により男女双方の快感が増進するほか、常時装着することによって、たるんだ包皮を保持できることから、仮性包茎の矯正についても効果的な用具である。
【考案の開示】
【考案が解決しようとする課題】
【０００４】
解決しようとする課題は、性行為時における快感を増進できるように亀頭部の露出度を増大させるための用具として、また、たるんだ包皮をペニスに固定して仮性包茎を矯正するため、手近な材料を使用し、ペニス用リングよりさらに計量で違和感のない用具を提供することである。
【課題を解決するための手段】
【０００５】
この改善策として、柔らかく薄い非伸縮性のビニール等の素材を用い、皮膚に直接貼り付ける接着面２に接着防止用テープ３を貼った細長いテープ１に加工し、接着防止用テープを剥がしながら、ペニスの亀頭部下のくびれ付近に巻き付け使用するペニス用バンドを提供するものである。
【非特許文献１】特許願  「ペニス用リング」  ２００６年８月  出願人  橘田治樹
【考案の効果】
【０００６】
本バンドをペニスに装着することにより、性行為時における男女双方の快感が増進されるほか、通常時のたるんだ包皮をペニスに固定し、仮性包茎が矯正できる用具を提供する。
また、常時装着ができ、亀頭部の露出度を増大することによって刺激が適度に得られることから、自己のペニスに対する意識と自信が高まり、年配者にとっては、青春時代の新鮮な味わいが体験できる。
【考案を実施するための最良の形態】
【０００７】
非伸縮性のビニール等の素材を用い、片面に絆創膏様の皮膚と接着性を持たせた細長いバンドを作製し、装着の時に、ペニスの圧迫具合を自由に調整し接着防止用テープをはがしながら巻き付けるようにして、一部重ね巻きにすることにより、ペニスの勃起時においても外れないようにしたペニス用バンドである。
【図面の簡単な説明】
【０００８】
【図１】実施例の正面図
【図２】実施例の側面図
【図３】Ａ部の拡大図
【符号の説明】
【０００９】
１  バンド
２  接着部
３  接着防止用テープ
【図１】
0003126482.tif 000003
【図２】
0003126482.tif 000004
【図３】
0003126482.tif 000005
(57)【要約】【課題】  容易に使用できる美容以外の目的をも兼ね備えている顔用のマスクを提供することである。【解決手段】  顔の前面から首までを連続して覆うことのできる程度の長さと略顔巾に等しい巾の縦中央線に対して略対称な綿布の両端面部を丸く形成する布地を複数枚重ねて縫製し、且つ鼻が露出するように通気孔を開口してなる、全てが綿素材で成る顔用マスクとするものである。【選択図】    図１
0003126483.tif 000002
【実用新案登録請求の範囲】
【請求項１】
顔面から顎を経て首の前部を覆う程度の長さを有し、略顔巾に相当する程度の大きさで、長手方向の両端部を丸く湾曲させて形成する綿布を複数枚重ね、少なくとも鼻部に位置する一個所に呼吸のための通気孔を貫通して設け、前記綿布の周縁部及び前記通気孔の周縁部を糸により縫い合わせて成る顔用マスク。
【考案の詳細な説明】
【技術分野】
【０００１】
本考案は、美容或いは汗の吸収或いは熱冷ましのための顔用マスクに関し、特には、綿繊維の水分吸収性を利用する顔用のマスクに関するものである。
【背景技術】
【０００２】
従来、一般の家庭で行なわれている顔の手入れには、電気器具等に依る水蒸気或いは超音波を利用する方法が採られており、器具を使用しない方法として、湯水で洗顔をかねて行なわれているのが現状であり、美容のための顔の手入れ以外の用途も併せ持つ顔用のマスクは知られていない。
【考案の開示】
【考案が解決しようとする課題】
【０００３】
本考案は、上記事情に鑑み為されたものであり、美容のための顔の手入れをのみならず、熱冷まし或いは汗の吸収など他の用途にも容易に適用できる多目的な顔用のマスクを提供することを課題としている。
【課題を解決するための手段】
【０００４】
上記課題を解決するための基本的技術手段は、綿繊維の特性を十分に生かすことのできる構造の顔用のマスクとするものであり、請求項１に記載したように、顔の前面から首の前面部を覆う程度の長さの且つ顔巾に相当する程度の巾を有する一枚或いは繋ぎ合わせる綿布の長手方向の両端辺部を丸く湾曲させて形成する布地を複数枚重ねて周囲を木綿糸で縫い合わせ、顔に被せたときに鼻部が露出する位置に少なくとも一箇所、呼吸を容易にするための通気孔を開口し、表裏に貫通する該開口部周辺部を糸で縫い合わせて成る、木綿糸を使用した場合には全てが綿素材による多目的の顔用マスクとするものである。
【考案の効果】
【０００５】
綿繊維の主成分であるセルロ−ス本来のロウ被膜を除くことで重量にして数倍の水分を吸収できると言われている良吸水性と、特に手紡ぎ繊維の綿毛を多く残す手織り布を使用することで、水の熱容量を有効に利用できることと肌触りの良いものとなる素材特有の性質を、綿布を複数枚重ねることで、冷却或いは温熱の温度を長時間維持できるということで十分に生かすことができ、凍らせて冷却して使用し顔を引き締める又は暖めて温熱でマッサ−ジするなどの美容上の効果以外に、風邪などの時における発熱状態を熱冷ましとして利用し或いは怪我などに依る傷を応急的に処置できる医療上の効果も期待でき、更に、呼吸のための開口部を設けることで、綿布の隙間からの呼吸では息苦しくなることも避けることが出来且つ温度変化を緩和できる効果の他に繰り返し使用ができるという極めて優れた効果を有する多目的の顔及び首を覆うマスクとすることができる。
【考案を実施するための最良の形態】
【０００６】
本考案にあっては、全ての素材が綿繊維で構成されていれば最良であり、この場合には縫い合わせる糸に木綿糸を使用すれば良いことになる。
【実施例１】
【０００７】
以下、図面に示す実施例に基づいて本考案の実施態様について説明する。
図１及び図２には、本考案の一実施例を示すが、長方形状の一枚の綿布で形成するマスク本体１の長手方向の両端隅部を丸く湾曲させて、このマスク本体１と同形状の綿布を複数枚重ねて周辺部の縫い目３に沿って縫い合わせるとともに、縦方向中心線上のマスク本体１が顔に被さる場合に鼻の位置に相当する個所に通気孔２を貫通して開口し、その周辺部を縫い目３に沿って縫い合わせて成っている。本実施例にあっては図２に三枚の綿布を重ねたものを示してあるが、この枚数に限るものではなく、二枚でも四枚でも構わない。
【実施例２】
【０００８】
図３は、マスク本体１を顔面部１−１と首部１−２の二枚の綿布を縫い合わせて、その縫合わせ目４を形成するものを前記実施例と同様に複数枚重ねて縫製するものであり、通気孔２の位置は前記実施例と同様の位置に施されている。
この場合、つなぎ目となる縫合わせ目４の左右端部にダ−ツを設けて顎から首にかけて屈曲し易い物とするなどの選択は自由である。
【０００９】
以上説明した本案マスクにおいては、マスク本体１に掛け紐等を施し、頭に通して或いは耳に掛けてマスクを固定することも、又、実施例１に示すものも含めて、呼吸のための通気孔２は鼻の位置に開口するばかりではなく口の位置に相当する個所にも施すことなどは、マスク本体１及び通気孔２の形状も含めて設計上の問題となる。
【００１０】
以上いずれの実施例にあっても、通常は、本マスクを水に浸して冷蔵庫で凍らせて使用するか、温水に浸して用いることであるが、水分を含ませない乾燥した状態で顔面を摩ったりした場合には、肌が潤ってくる等の綿布特有の効果も期待できるので、その状態でも使用可能である。
いずれにしても、本案顔用のマスクが自然の素材をそのまま利用し綿繊維の特徴を充分に生かした多目的マスクとして実施できるところの実用性が高いものとなる。
【産業上の利用可能性】
【００１１】
顔専用のマスクとして使用する以外に、身体のあらゆる個所に生じた傷口に当てて摩り快復を早める或いは打撲個所に当てて治す等の利用が可能となるもので多様性がある物品と言える。
【図面の簡単な説明】
【００１２】
【図１】本考案の一実施例を示す外観図である。
【図２】図１におけるＡ．B断面図である。
【図３】他の実施例を示す部分外観図である。
【符号の説明】
【００１３】
１    マスク本体
２    通気孔  
３    縫い目
４    縫合わせ目
【図１】
0003126483.tif 000003
【図２】
0003126483.tif 000004
【図３】
0003126483.tif 000005
(57)【要約】【課題】息苦しさやいびきを解消し得る衛生マスクの提供。【解決手段】マスク本体の鼻被覆部内側面に、鼻孔拡張用可撓性シートを備えていることを特徴とする衛生マスク。【選択図】図３
0003126469.tif 000002
【実用新案登録請求の範囲】
【請求項１】
マスク本体の鼻被覆部内側面に、鼻孔拡張用可撓性シートを備えていることを特徴とする衛生マスク。
【請求項２】
鼻孔拡張用可撓性シートが、接着剤でマスク本体に固着されていることを特徴とする請求項１記載の衛生マスク。
【請求項３】
鼻孔拡張用可撓性シートが、外面部に粘着剤層を有する略短冊状可撓性シート片と、当該粘着剤層を被覆する離型紙とから成ることを特徴とする請求項１又は２記載の衛生マスク。
【請求項４】
略短冊状可撓性シート片が、プラスチック製であることを特徴とする請求項３記載の衛生マスク。
【考案の詳細な説明】
【技術分野】
【０００１】
本考案は衛生マスク、特に装着時に息苦しさのない衛生マスクに関する。
【背景技術】
【０００２】
従来より衛生マスクは、ガーゼや紙等の通気性素材により構成されている。
しかしながら、通気性を有するとは云え、衛生マスクには細菌や花粉等の微細物の通過防止と云う目的があるため、自ずとその通気性は呼吸可能な最小限度のものとなっている結果、装着時の息苦しさは避けられないのが実状であった。
【考案の開示】
【考案が解決しようとする課題】
【０００３】
本考案は上記の如き従来の衛生マスクの実状に鑑みてなされたものであり、装着時に息苦しさのない衛生マスクを提供することを課題とする。
【課題を解決するための手段】
【０００４】
本考案は、マスク本体の鼻被覆部内側面に、鼻孔拡張用可撓性シートを備えていることを特徴とする衛生マスクにより上記課題を解決したものである。
【考案の効果】
【０００５】
本考案衛生マスクを用い、装着時に鼻孔拡張用可撓性シートを鼻部に貼着すれば、鼻孔が鼻孔拡張用可撓性シートの復元力により拡張するので、酸素摂取量がアップし、息苦しさが生じることはない。また、就寝時に本考案衛生マスクを装着すれば、いびきを静めることもできる。
【考案を実施するための最良の形態】
【０００６】
以下本考案の実施の形態を図面と共に説明する。
【０００７】
図１〜図３において、１０はマスク本体で、その素材は通気性を有するものであれば、従来と同様、ガーゼや紙等の如何を問わない。また、このマスク本体１０の形態は平面型、立体型の何れであっても良い。
【０００８】
２０は鼻孔拡張用可撓性シートで、マスク本体１０の鼻被覆部内側面に、接着剤で固着されている。
この鼻孔拡張用可撓性シート２０は、プラスチック製の略短冊状可撓性シート片２０ａと、当該略短冊状可撓性シート片２０ａの外面部に形成された粘着剤層２０ｂと、当該粘着剤層２０ｂを被覆する離型紙２０ｃとから構成されている。
【０００９】
次に、斯かる実施の形態に係る本考案衛生マスクの使用法を説明する。
まず、鼻孔拡張用可撓性シート２０の離型紙２０ｃを剥離し、略短冊状可撓性シート片２０ａの外面部に形成された粘着剤層２０ｂを露出せしめる。
次いで、図３に示すように、略短冊状可撓性シート片２０ａを鼻部に位置せしめてマスク本体１０を装着する。
次いで、図４に示すように、マスク本体１０の外側から手指で略短冊状可撓性シート片２０ａを押圧し、鼻部外形に沿って湾曲せしめつつ鼻孔外側面部に貼付する。
【００１０】
貼付された略短冊状可撓性シート片２０ａは、その可撓性により図４中矢印方向に復元しようとするので、それに伴い鼻孔Ｐが拡張し、衛生マスク装着時の息苦しさや、いびきが解消される。
【図面の簡単な説明】
【００１１】
【図１】耳掛け部を省略した本考案衛生マスクの背面説明図。
【図２】Ａ−Ａ線要部拡大断面説明図。
【図３】本考案衛生マスクの装着状態を示す模式説明図。
【図４】略短冊状可撓性シート片の作用を示す模式説明図。
【符号の説明】
【００１２】
１０：マスク本体
２０：鼻孔拡張用可撓性シート
２０ａ：略短冊状可撓性シート片
２０ｂ：粘着剤層
２０ｃ：離型紙
Ｐ：鼻孔
【図１】
0003126469.tif 000003
【図２】
0003126469.tif 000004
【図３】
0003126469.tif 000005
【図４】
0003126469.tif 000006
(57)【要約】【課題】  複数のワイヤーメッシュ筋で区画した各区画の形状を三角形のワイヤーメッシュにすることによって、セメントやコンクリート等の強度を増すための補強材を提供する。【解決手段】  本考案は、ワイヤーメッシュ筋１、２、３により形成される各区画４の形状が三角形になるように、ワイヤーメッシュ筋を３方向に並べ、各ワイヤーメッシュ筋の接している部分を接合したワイヤーメッシュである。【選択図】  図１
0003126435.tif 000002
【実用新案登録請求の範囲】
【請求項１】
面空間を複数のワイヤーメッシュ筋で区画した各区画の形状が三角形のワイヤーメッシュ。
【考案の詳細な説明】
【技術分野】
【０００１】
本考案はセメント、コンクリート等と一緒に用いる補強材であるワイヤーメッシュに関するものである。
【背景技術】
【０００２】
従来、ワイヤーメッシュのメッシュ部分の形状は、ワイヤーメッシュ筋を２方向に並べ、各ワイヤーメッシュ筋間の各区画の形状を正方形や長方形の四角形にし、ワイヤーメッシュ筋の接点を溶接したものであった。  
【考案の開示】
【考案が解決しようとする課題】
【０００３】
前記の方法では、各ワイヤーメッシュ筋間の各区画の形状が四角形であるため、歪みが生じやすく、強度に不足が生じる。昨今、地震等によるマンションや舗装の倒壊、ひび割れによる不安が広がっている。
【課題を解決するための手段】
【０００４】
本考案は、前述のような問題点に鑑み、複数のワイヤーメッシュ筋で区画した各区画の形状を三角形にしたワイヤーメッシュをコンクリート等の補強材として用いることにより、コンクリート等の強度を増すことができる。
【考案の効果】
【０００５】
本考案は面空間を複数のワイヤーメッシュ筋で区画した各区画の形状が三角形であるワイヤーメッシュのため、歪が生じにくく、亀裂の発生を防止し、あるいは拡大を最小限に抑えることができる。また、３方向のワイヤーメッシュ筋を用いることにより、さらに強度が増し、円筒状にして橋脚等に使用すれば地震等の揺れによる大きな負荷重量にも耐えることができる。
【考案を実施するための最良の形態】
【０００６】
次に本考案の実施の形態を実施例となる図面を参照して説明する。本図は複数のワイヤーメッシュ筋で区画した各区画の形状が正三角形の例を示している。
【０００７】
ワイヤーメッシュ筋１、２、３により形成される各区画４の形状が正三角形になるように３方向に並べ、各ワイヤーメッシュ筋の接している部分を接合する。なお、各区画４は正三角形に限らず、他の三角形でもよい。
【図面の簡単な説明】
【０００８】
【図１】本考案のワイヤーメッシュの一部を示す正面図である。
【図２】本考案のワイヤーメッシュの一部を示す斜視図である。
【符号の説明】
【０００９】
１はワイヤーメッシュ筋  
２はワイヤーメッシュ筋  
３はワイヤーメッシュ筋    
４は区画
【図１】
0003126435.tif 000003
【図２】
0003126435.tif 000004
(57)【要約】【課題】婦人用作業衣において、三つ目バックル6が常に背面中央に位置すると共に着用中もバックルの抜け落ちを防止したベルト構造を提供する。    また、両端引締めの程度に関係なくベルト先端5が垂れ下がることがなく、体裁のよいウエストベルトを提供する。【解決手段】作業衣1の両脇部にベルト端部3が上着の脇部に縫着されたベルト本体4の先端側が、三つ目バックル6の中穴10に挿通されて脚部8,9で折返11されると共に各ベルト本体4の先端側裏面又は縁部に先端つまみ部5を避けて取付けたベルト通し環12にベルト本体が挿通されて端部3が両脇部に縫着される。  【選択図】  図１
0003126412.tif 000002
【実用新案登録請求の範囲】
【請求項１】
作業用上着の左右両脇部に取り付けた２本のベルト部材の各先端部を三つ目バックルの中穴を通して折返して締結する引締めベルトにおいて、ベルト本体の先端側裏面又は側縁に先端つまみ部を避けてベルト通し環を取付けると共に前記ベルト通し環に前記ベルト本体が挿通されて端部が上着の両脇部に縫着されてなるウエストベルトの両締め構造。
【考案の詳細な説明】
【技術分野】
【０００１】
この考案は、婦人用作業衣の両締めウエストベルトに関する。
【背景技術】
【０００２】
ナースウエアなどの作業用上着には、予めウエストベルト又は締め紐が取付けられているのが一般であり、従来は、文献１のＰ70の写真に示すように後身頃の腰部左右にボタンを取付け、このボタンに、ボタン穴を設けたベルト片を掛止させた製品が知られている。
この構造は、外観上の体裁はよいが、引締め調節することができない欠点がった。
【０００３】
【非特許文献１】フォーク（株）カタログ「ソワンクレエ」２００６年Ｖｏｌ．３（Ｐ70、71）
【考案の開示】
【考案が解決しようとする課題】
【０００４】
本案は、三つ目バックルを使用して両締め調節を可能にすると共に引締め程度に関係なく、ベルト先端が垂れ下がらず左右対称で体裁のよいウエストベルトを提供するものであり、更に、着用中において三つ目バックルが抜け落ちるのを防止したベルト構造を提供するものである。
【課題を解決するための手段】
【０００５】
本案ベルトは、作業用上着の左右両脇部に取り付けた２本のベルト部材の各先端部を三つ目バックルの中穴を通して折返して締結する引締めベルトにおいて、ベルト本体の先端側裏面などに先端つまみ部を避けてベルト通し環を取付けると共に前記ベルト通し環にベルト本体が挿通されて端部が上着の両脇部に縫着されて構成されるものである。
【考案の効果】
【０００６】
本案構造によれば、ベルト先端部が常にベルト本体に重なって保持されているから、先端の垂れ下がりがない上、両締めであるからバックルが常に背面中央に位置しているので体裁がよい。    更に、着用中のバックルの抜け落ちがないにも拘らず、バックルは洗濯などの必要時は何時でも容易に取り外すことができる。
【考案を実施するための最良の形態】
【０００７】
図において、1は、作業用上着の後身頃、2は、脇部に縫着された左右一対の布製ベルト部材、3は縫着端部、4はベルト本体、4Ａは、折返された上ベルト、5は先端つまみ部である。
6は、枠体7内にベルト折返し用脚部8,9と三個の通し穴を有する三つ目バックルであって、中穴10に左右ベルトの先端部5が挿通されて折返11され、上ベルト4Ａのベルト先端を引張ることによって締結力が得られて自由に引締め調節できる。
12は、布製のバンド片の両端を先端つまみ部5を避けて、上ベルト4Ａの先端側裏面又は縁部に取付けたベルト通し環であって、図２のようにベルト本体4が挿通されている。  
【０００８】
上記本案品は、予めベルト通し環12を縫着13したベルト本体を図３のように三つ目バックルの中穴10に通して脚部で折返した状態でこのベルト本体の縫着端部3をベルト通し環12に挿通させる。  図４は裏面側から見た外観図であり、この縫着端部3を上着の脇部に縫着すると図１のようになって完成する。  なお、洗濯などにおいては、ベルト通し環12の一方又は両方の縫着部13の縫い糸を切断することによって容易にバックルを抜き取ることができる。
【図面の簡単な説明】
【０００９】
【図１】本案品を装着した作業衣の一部背面図
【図２】ベルト通し部の拡大断面図
【図３】ベルト通しを行う前の片側平面図
【図４】端部縫着前の片側の裏面図
【符号の説明】
【００１０】
1  後身頃
2  ベルト部材
3  縫着端部
4  ベルト本体
5  先端つまみ部
6  三つ目バックル
7  枠体
8,9  脚部
10  中穴
11  折返し部
12  ベルト通し環
【図１】
0003126412.tif 000003
【図２】
0003126412.tif 000004
【図３】
0003126412.tif 000005
【図４】
0003126412.tif 000006
(57)【要約】      （修正有）【課題】作業現場における、作業の効率化。【解決手段】産業上の特殊な目盛り付き巻尺を追加することのより、大幅な作業効率の向上が出きる。【選択図】図１
0003126408.tif 000002
【実用新案登録請求の範囲】
【請求項１】
異種目盛り携帯巻尺を並列または直列に連結したところを特徴とする巻尺
【考案の詳細な説明】
【技術分野】
【０００１】  本考案は作業現場にて２個の巻尺を管理することなく目的に応じた巻尺セットを使用することで作業効率が大幅に良くなる道具である。
【背景技術】
【０００２】  作業現場においては、別々に管理していた。
【考案の開示】
【考案が解決しようとする課題】
【０００３】  作業現場への持ち込み忘れ、必要時の探す手間等の、不便さを、解決するものである。
【課題を解決するための手段】
【０００４】  常時つながっているため、探す余分な手間が省ける。
【考案の効果】
【０００５】  上述のようにｍ尺とその現場に必要な特殊尺の組み合わせを選んで持っていれば、作業時の効率が格段に向上する。
【考案を実施するための最良の形態】
【０００６】  ２つの巻尺を、並列または、直列につないだもので、つなぎ方はかんい方、着脱方、いったい方等の、方法は問わない、異種目盛りの巻尺が隣同士にあることが大事で、かつ従来どうりの作業性を保ちつつ使用可能である。
【実施例】
【０００７】  以下添付図面に従って一実施例を説明する。
【産業上の利用可能性】
【０００８】  寸法を取る上で、その産業上の特殊目盛り尺を、追加することで、大変便利で、作業効率が上がるものである。
【図面の簡単な説明】
【０００９】
【図１】  並列接続図である。
【図２】  直列接続図である。
【符号の説明】
【００１０】  １をＭ尺とすれば、２を自分が必要な特殊目盛りの尺にする。
【図１】
0003126408.tif 000003
【図２】
0003126408.tif 000004
(57)【要約】【課題】  容易に小さく縮めることのできる形態に便利な買い物袋を提供することを課題としている。【解決手段】  袋本体の上方開口部及び両脇の上下に亘って縫い合わせて成形する筒状の紐通路を設け、袋本体内部の底に設けるリングを通して、通路内に収まる一本の紐により収縮が可能となる買い物袋としている。【選択図】図４
0003126401.tif 000002
【実用新案登録請求の範囲】
【請求項１】
袋本体の上方開口部の周縁に紐横通路と左右の両脇に紐縦通路を連続して施し、該紐縦通路の底部にリングを設けると共に、前記紐横通路の一部を開口して、該開口部から、前記左右低部のリングを通り前記紐横通路を通る一本の紐の両端部が出るように構成する縦横の伸縮性を有する買い物袋。
【考案の詳細な説明】
【技術分野】
【０００１】  本考案は、不使用時には収縮させてオシャレ用バッグ等の中に収納することのできる買い物袋に関するものである。
【背景技術】
【０００２】  袋体に設ける紐により、袋体の開口部を収縮させる袋は、従来、日常的に古くから使用されており、更には、特許或は実用新案の出願に関わる巾着袋等で公知されている。例えば、袋体の開口部周縁に紐通しを設けて、その中に収納されている紐を、紐通しの一部に設ける開口部から引き出して袋を閉じてしまう巾着袋、袋体の開口部側に周方向の紐挿通路を形成し、この紐挿通路の両側に脇穴を設けて、引締紐を各脇穴から紐挿通路に挿通して、露出している紐を相反する方向へ引っ張ることによって袋体の開口部を閉じることの巾着袋に、紐挿通路の中間部分に中穴を設け、この中穴から引き出した引締紐をタグに縫うように挿通してタグを袋体に取付けて、皺の発生を少なくするタグ付巾着袋あるいは結び目が自由に得られない紐を使用した袋の、袋体に設ける紐挿通路に通して成るル−プ状紐の蝶結びを外観させる袋などが知られている【０００３】
【特許文献１】  特開２００５−２１８７２４号公報
【特許文献２】  特開２００５−２３１６８１号公報
【特許文献３】  特開２００１−２９９４１２号公報
【考案の開示】
【考案が解決しようとする課題】
【０００４】  前記した従来公知の、紐で閉じることのできる巾着等の袋においては、袋内に物品を収納したときの開口部から物品の逸脱が無いような紐締め或は紐の見栄えを良くするような目的で提案されている物であり、容易に小さく畳めることのできる買い物袋ではなく、この点に関して本考案が為されたもので、容易に縮めることのできる買い物袋を提供することを目的としている。
【課題を解決するための手段】
【０００５】  袋本体の上方開口部の周縁に筒状の紐横通路と左右の両脇に、前記紐横通路と同様の筒状の紐縦通路を連続して施し、該紐縦通路の底部に紐を通すリングを設けるとともに、前記紐横通路の一部を開口して、この開口部から前記リングを潜り前記紐横通路と前記紐縦通路を潜る一本の紐の両端部を伸出させて、紐の両端部を引っ張り出して袋本体を小さく畳むことのできる買い物袋として課題を解決しているものである。
【考案の効果】
【０００６】  本考案によって目的を充分に達成でき、特に両脇にも紐を通すことで極めて小さく畳むことができる便利の良い買い物袋を提供できることになる。
【考案を実施するための最良の形態】
【０００７】  以下、図面に示す実施例に従って本考案の実施態様について説明する。
図５が、本考案に関わる買い物袋の使用状態を示す外観図であるが、図において袋本体１の中に物品が収納されており袋本体１の上方部に設ける把手１０で手持ちできるようになっていて、止輪６を通して紐５を引き出して先端部を紐結び７で結んで袋本体１の開口部を閉じているものである。
図１乃至図４に示す実施例において、袋本体１の両脇にミシンなどで縫い合わされる縫目４で筒状の紐縦通路２を形成し、袋本体開口部１１の全周に亘って同様に縫目４により筒状の前記紐縦通路２を閉じることなく通路を連続させる紐横通路３を形成して基部を為している。紐横通路３の一部に紐通口８を開口し、この紐通口８から紐５の一方を挿入して、下方端部が開口している紐縦通路２部で、袋本体１の内側底部で露出しリング止１３に固定されているリング１２を通し、更に紐横通路３を半周して再び片側脇の紐縦通路２及びリング１２に通して再び紐横通路３を通して紐通口８から袋外に引き出し、その引き出した部分で止輪６を通して紐５を束ねて紐５の先端部で両端を紐結び７として袋部を構成して、袋本体１の上方には持ち運びのための把手１０を設けて買い物袋の全体を構成するものである。【０００８】  図３には、袋本体内面部が解かるように展開図を示してあるが、内折線９の部分が袋本体１の両脇に相当し点線で示す左右の縫目４を重ねて縫い合わせ筒状の紐縦通路２が形成され、同様に左右の生地が重なって紐横通路３が形成される。【０００９】  紐５の一端にピン等を取付けて、このピンを紐横通路３の紐通口８から挿入し、紐横通路３の片側へ移動させながら紐縦通路２、リング１２、紐縦通路２、紐横通路３、他方の脇の紐縦通路２、リング１２、紐縦通路２、紐横通路３に潜らせて紐通口８から引き出すことで、紐５を各通路内に装着できることになる。この場合、紐縦通路２と紐横通路３が連続しており又リング１２の存在に依って紐が滑って容易に紐通しが可能となる。又、紐止６に依り紐５を束ねて紐通口８の近傍に移動させて袋本体１の開口部１１を絞りこむことが容易となる。
本実施例では、リング１２は、袋本体１の内側底部に固定するリング止１３に固定されているが、リング１２の固定手段は本実施例に限るものでは無く、又、紐縦通路２の下方に施す開口部の設け方等も適に選択されるものである。【００１０】  以上説明したような構造の買い物袋であるので、袋内に物品を収納しない場合には、紐５を引き出して袋の縦横を縮めて小さくし、他のオシャレ用バッグ等に納めて携帯でき目的を達成できることになる。
【図面の簡単な説明】
【００１１】
【図１】本考案の一実施例を示す全体斜視図である。
【図２】同実施例の正面図である。
【図３】同実施例の内面展開図である。
【図４】図１におけるＡＡ’部分断面図である。
【図５】使用状態図である。
【符号の説明】
【００１２】１      袋本体
２      紐縦通路
３      紐横通路
４      縫目
５      紐
６      紐止
７      紐結び
８      紐通口
９      内折線
１０    把手
１１    袋本体開口部
１２    リング
１３    リング止
【図１】
0003126401.tif 000003
【図２】
0003126401.tif 000004
【図３】
0003126401.tif 000005
【図４】
0003126401.tif 000006
【図５】
0003126401.tif 000007